(57)【要約】      （修正有）【課題】迅速かつ正確な時刻同期を実現する光伝送システムを提供する。【解決手段】複数の加入者光終端装置は、局側光終端装置との間で信号を送受信すると共に予告タイム信号及び局側光終端装置からの往復伝搬時間の半値を示す信号を受信する第２の送受信手段と、局部クロック発生手段と、ほぼ全ての制御メッセージに含まれているタイムスタンプによってセットされ、局部クロック発生手段からの局部クロックの計数を行う第２の通信制御タイマと、第２の送受信手段で受信した予告タイム信号の示す時間から往復伝搬時間の半値に相当する時間を減算して修正予告タイムを計算し、第２の通信制御タイマが示す時刻が修正予告タイムに一致するか否かを判定する判定手段と、判定手段により第２の通信制御タイマが示す時刻が修正予告タイムに一致したと判定された場合に、この判定結果に応じて第２の時刻基準パルスを発生する時刻基準パルス発生手段とを備える。【選択図】図１
2011040870.tif 000002
【特許請求の範囲】
【請求項１】
局側光終端装置と、光伝送路を介して該局側光終端装置に接続された複数の加入者光終端装置とを含んでおり、
前記局側光終端装置が、
前記複数の加入者光終端装置との間で信号を送受信する第１の送受信手段と、
第１の通信制御用タイマと、
当該局側光終端装置と前記複数の加入者光終端装置の各々との間の往復伝搬時間を計測する計測手段と、
第１の時刻基準パルスの入力に応じて、前記第１の通信制御用タイマの示す時刻信号に所定時間を加算して得られる予告タイム信号を生成する手段と、
前記第１の送受信手段に、前記生成した予告タイム信号を前記複数の加入者光終端装置の各々に向けて送信させ、かつ前記計測した往復伝搬時間の半値を示す信号を該複数の加入者光終端装置の対応する加入者光終端装置に送信させると共に、ほぼ全ての制御メッセージにタイムスタンプを含ませて前記複数の加入者光終端装置の各々に向けて送信させる手段とを備えており、
前記複数の加入者光終端装置の各々が、
前記局側光終端装置との間で信号を送受信すると共に前記予告タイム信号及び前記局側光終端装置からの前記往復伝搬時間の半値を示す信号を受信する第２の送受信手段と、
局部クロックを発生する局部クロック発生手段と、
前記ほぼ全ての制御メッセージに含まれているタイムスタンプによってセットされ、前記局部クロック発生手段からの局部クロックの計数を行う第２の通信制御タイマと、
前記第２の送受信手段で受信した前記予告タイム信号の示す時間から前記往復伝搬時間の半値に相当する時間を減算して修正予告タイムを計算し、前記第２の通信制御タイマが示す時刻が該修正予告タイムに一致するか否かを判定する判定手段と、
前記判定手段により前記第２の通信制御タイマが示す時刻が前記修正予告タイムに一致したと判定された場合に、該判定結果に応じて第２の時刻基準パルスを発生する時刻基準パルス発生手段とを備えていることを特徴とする光伝送システム。
【請求項２】
前記局側光終端装置の前記計測手段が、前記第１の通信制御用タイマの示す時刻情報を含む時刻同期コマンドを前記第１の送受信手段により前記複数の加入者光終端装置の各々に送信させる手段を備えており、前記複数の加入者光終端装置の各々は、前記受信した時刻同期コマンドに応じて、該時刻同期コマンドが含む時刻情報の時刻に前記第２の通信制御用タイマをセットする手段を備えていることを特徴とする請求項１に記載の光伝送システム。
【請求項３】
前記局側光終端装置が、前記第１の時刻基準パルスに同期した基準クロックから前記第１の通信制御用タイマのカウント用クロックを生成するクロック生成手段をさらに備えていることを特徴とする請求項１又は２に記載の光伝送システム。
【請求項４】
前記基準クロックが外部から前記局側光終端装置に入力されることを特徴とする請求項３に記載の光伝送システム。
【請求項５】
前記局側光終端装置が、前記第１の時刻基準パルスに同期させて前記基準クロックを生成する発振手段をさらに備えていることを特徴とする請求項３に記載の光伝送システム。
【請求項６】
局側光終端装置と、光伝送路を介して該局側光終端装置に接続された複数の加入者光終端装置とを含んでおり、
前記局側光終端装置が、
前記複数の加入者光終端装置との間で信号を送受信する第１の送受信手段と、
第１の通信制御用タイマと、
当該局側光終端装置と前記複数の加入者光終端装置の各々との間の往復伝搬時間を計測する計測手段と、
第１の時刻基準パルスの入力に応じて、前記第１の通信制御用タイマの時刻を示す予告タイム信号を生成する手段と、
前記第１の送受信手段に、前記生成した予告タイム信号を前記複数の加入者光終端装置の各々に向けて送信させ、かつ前記計測した往復伝搬時間の半値を示す信号を該複数の加入者光終端装置の対応する加入者光終端装置に送信させると共に、ほぼ全ての制御メッセージにタイムスタンプを含ませて前記複数の加入者光終端装置の各々に向けて送信させる手段とを備えており、
前記複数の加入者光終端装置の各々が、
前記局側光終端装置との間で信号を送受信すると共に前記予告タイム信号及び前記局側光終端装置からの前記往復伝搬時間の半値を示す信号を受信する第２の送受信手段と、
局部クロックを発生する局部クロック発生手段と、
前記ほぼ全ての制御メッセージに含まれているタイムスタンプによってセットされ、前記局部クロック発生手段からの局部クロックの計数を行う第２の通信制御タイマと、
前記第２の送受信手段で受信した前記予告タイム信号の示す時間に所定時間を加算し、前記往復伝搬時間の半値に相当する時間を減算して修正予告タイムを計算し、前記第２の通信制御タイマが示す時刻が該修正予告タイムに一致するか否かを判定する判定手段と、
前記判定手段により前記第２の通信制御タイマが示す時刻が前記修正予告タイムに一致したと判定された場合に、該判定結果に応じて第２の時刻基準パルスを発生する時刻基準パルス発生手段とを備えていることを特徴とする光伝送システム。
【請求項７】
前記局側光終端装置の前記計測手段が、前記第１の通信制御用タイマの示す時刻情報を含む時刻同期コマンドを前記第１の送受信手段により前記複数の加入者光終端装置の各々に送信させる手段を備えており、前記複数の加入者光終端装置の各々は、前記受信した時刻同期コマンドに応じて、該時刻同期コマンドが含む時刻情報の時刻に前記第２の通信制御用タイマをセットする手段を備えていることを特徴とする請求項６に記載の光伝送システム。
【請求項８】
前記局側光終端装置が、前記第１の時刻基準パルスに同期した基準クロックから前記第１の通信制御用タイマのカウント用クロックを生成するクロック生成手段をさらに備えていることを特徴とする請求項６又は７に記載の光伝送システム。
【請求項９】
前記基準クロックが外部から前記局側光終端装置に入力されることを特徴とする請求項８に記載の光伝送システム。
【請求項１０】
前記局側光終端装置が、前記第１の時刻基準パルスに同期させて前記基準クロックを生成する発振手段をさらに備えていることを特徴とする請求項８に記載の光伝送システム。
【請求項１１】
光伝送路を介して局側光終端装置と複数の加入者光終端装置とが接続されている光伝送システムの時刻基準パルスを用いた同期方法であって、
前記局側光終端装置が、前記複数の加入者光終端装置の各々との間の往復伝搬時間を計測するステップと、
前記局側光終端装置が、前記計測した往復伝搬時間の半値を示す信号を前記複数の加入者光終端装置の対応する加入者光終端装置に送信するステップと、
前記複数の加入者光終端装置の各々が、前記局側光終端装置から送信された前記往復伝搬時間の半値を示す信号を受信し記憶するステップと、
前記局側光終端装置が、第１の時刻基準パルスの入力に応じて、第１の通信制御用タイマの示す時刻信号に所定時間を加算して得られる予告タイム信号を前記複数の加入者光終端装置の各々に送信するステップと、
前記局側光終端装置が、ほぼ全ての制御メッセージにタイムスタンプを含ませて前記複数の加入者光終端装置の各々に向けて送信するステップと、
前記複数の加入者光終端装置の各々が、前記予告タイム信号を受信するステップと、
前記複数の加入者光終端装置の各々が、受信した該予告タイム信号の示す時間から前記往復伝搬時間の半値に相当する時間を減算して、修正予告タイムを計算するステップと、
前記複数の加入者光終端装置の各々が、前記ほぼ全ての制御メッセージに含まれているタイムスタンプによってセットされ、局部クロックの計数を行う第２の通信制御タイマの示す時刻が、前記修正予告タイムに一致した時に第２の時刻基準パルスを発生するステップと
を備えていることを特徴とする時刻基準パルスを用いた同期方法。
【請求項１２】
光伝送路を介して局側光終端装置と複数の加入者光終端装置とが接続されている光伝送システムの時刻基準パルスを用いた同期方法であって、
前記局側光終端装置が、前記複数の加入者光終端装置の各々との間の往復伝搬時間を計測するステップと、
前記局側光終端装置が、前記計測した往復伝搬時間の半値を示す信号を前記複数の加入者光終端装置の対応する加入者光終端装置に送信するステップと、
前記複数の加入者光終端装置の各々が、前記局側光終端装置から送信された前記往復伝搬時間の半値を示す信号を受信し記憶するステップと、
前記局側光終端装置が、第１の時刻基準パルスの入力に応じて、第１の通信制御用タイマの時刻を示す予告タイム信号を前記複数の加入者光終端装置の各々に送信するステップと、
前記局側光終端装置が、ほぼ全ての制御メッセージにタイムスタンプを含ませて前記複数の加入者光終端装置の各々に向けて送信するステップと、
前記複数の加入者光終端装置の各々が、前記予告タイム信号を受信するステップと、
前記複数の加入者光終端装置の各々が、受信した該予告タイム信号の示す時間に所定時間を加算し前記往復伝搬時間の半値に相当する時間を減算して修正予告タイムを計算するステップと、
前記複数の加入者光終端装置の各々が、前記ほぼ全ての制御メッセージに含まれているタイムスタンプによってセットされ、局部クロックの計数を行う第２の通信制御タイマの示す時刻が、前記修正予告タイムに一致した時に第２の時刻基準パルスを発生するステップと
を備えていることを特徴とする時刻基準パルスを用いた同期方法。
【発明の詳細な説明】
【技術分野】
【０００１】
本発明は、光伝送システム及び時刻基準パルスを用いた同期方法に関し、より具体的には、局側光終端装置が複数のユーザ光終端装置からの上り信号を時分割多元アクセス（ＴＤＭＡ）方式で制御する光伝送システム、及び時刻基準パルスを用いた同期方法に関する。
【背景技術】
【０００２】
局側光終端装置が複数のユーザ光終端装置からの上り信号をＴＤＭＡ方式で制御する光伝送システムとして、Ｐａｓｓｉｖｅ  Ｏｐｔｉｃａｌ  Ｎｅｔｗｏｒｋ  （ＰＯＮ）システムが知られている。
【０００３】
ＰＯＮシステムは、センター局に配置されるＯｐｔｉｃａｌ  Ｌｉｎｅ  Ｔｅｒｍｉｎａｌ（ＯＬＴ）と、各ユーザ宅に配置されるＯｐｔｉｃａｌ  Ｎｅｔｗｏｒｋ  Ｕｎｉｔ（ＯＮＵ）と、ＯＬＴと複数のＯＮＵを接続するスターカプラ型の光ファイバ伝送路を備えている。このＰＯＮシステムは、光ファイバ伝送路上に１つ以上の光カップラを配置し、一部の光ファイバ伝送路を全ＯＮＵで共用する光伝送システムである。このようなＰＯＮシステムでは、上り信号伝送のために、ＯＬＴと各ＯＮＵとの時刻は同期している必要がある。
【０００４】
特許文献１には、ＰＯＮシステムではないが、ネットワークベースの時刻同期プロトコルであるＮｅｔｗｏｒｋ  Ｔｉｍｅ  Ｐｒｏｔｏｃｏｌ（ＮＴＰ）を利用して加入者端末と加入者収容ルータとの間で時刻同期を行うことが開示されている。
【０００５】
特許文献２には、ＰＯＮシステムではないが、ネットワークベースの時刻同期プロトコルであるＮＴＰ又はＰｒｅｃｉｓｉｏｎ  Ｔｉｍｅ  Ｐｒｏｔｏｃｏｌ（ＰＴＰ）を利用して親局装置と子局装置との間で周波数同期及び時刻同期を確立することが開示されている。
【０００６】
特許文献３には、ＰＯＮシステムであるＩＥＥＥ８０２．３ａｈＴＭによる標準規格に従った時刻同期方法が開示されている。即ち、局側装置から端末装置への下り信号の制御フレームに含まれるタイムスタンプが送られてきた時点で、このタイムスタンプとの時間的なずれが小さくなるように端末装置のＰＯＮカウンタのドリフト調整を行い、このＰＯＮカウンタを用いて上り信号の送信タイミングを決定することが開示されている。
【０００７】
また、特許文献４及び５には、ＰＯＮシステムにおいて、マルチレート対応のための時刻同期技術が開示されている。即ち、特許文献４には、非ＰＯＮ側から受け取ったデータフレームに時刻同期フレームを時分割多重し、これに時刻情報を設定してＰＯＮ側に送る際に、フレーム間隔を調整した後に時刻情報の設定を行うことにより、設定される時刻情報に影響を与えないようにすることが開示されている。特許文献５には、子局装置において、制御パケットからタイムスタンプを抽出してタイマを動作させ、これと前回のタイムスタンプに基づくタイマとの差が閾値より小さい場合に今回抽出したタイムスタンプ値を上りデータの出力タイミングの基準とすることが開示されている。
【先行技術文献】
【特許文献】
【０００８】
【特許文献１】特開２００７−３２４７８３号公報
【特許文献２】特開２００７−１６６２７８号公報
【特許文献３】特開２００７−２３５３７１号公報
【特許文献４】特開２００８−０４２６９９号公報
【特許文献５】特開２００６−００５６７３号公報
【発明の概要】
【発明が解決しようとする課題】
【０００９】
しかしながら、ＰＯＮシステムでは、ＴＤＭＡを使用しているため、ＯＬＴからの下り信号送信においては問題ないが、ＯＮＵからの上り信号送信においては、そのＯＮＵから送信するタイミングまで待機しなければならないことがある。そのため、遅延量を固定することができず、迅速な同期を確立することが困難となる。
【００１０】
従って、本発明の目的は、このようなＴＤＭＡを用いた場合にも、迅速かつ正確な時刻同期を実現する光伝送システム及び時刻基準パルスを用いた同期方法を提供することにある。
【課題を解決するための手段】
【００１１】
本発明によれば、光伝送システムは、局側光終端装置と、光伝送路を介して局側光終端装置に接続された複数の加入者光終端装置とを含んでいる。局側光終端装置は、複数の加入者光終端装置との間で信号を送受信する第１の送受信手段と、第１の通信制御用タイマと、局側光終端装置と複数の加入者光終端装置の各々との間の往復伝搬時間（ＲＴＴ）を計測する計測手段と、第１の時刻基準パルスの入力に応じて、第１の通信制御用タイマの示す時刻信号に所定時間を加算して得られる予告タイム信号を生成する手段と、第１の送受信手段に、生成した予告タイム信号を複数の加入者光終端装置の各々に向けて送信させ、かつ前記計測した往復伝搬時間の半値（ＲＴＴ／２）を示す信号を該複数の加入者光終端装置の対応する加入者光終端装置に送信させると共に、ほぼ全ての制御メッセージにタイムスタンプを含ませて複数の加入者光終端装置の各々に向けて送信させる手段とを備えている。複数の加入者光終端装置の各々は、局側光終端装置との間で信号を送受信すると共に予告タイム信号及び局側光終端装置からの往復伝搬時間の半値（ＲＴＴ／２）を示す信号を受信する第２の送受信手段と、局部クロックを発生する局部クロック発生手段と、ほぼ全ての制御メッセージに含まれているタイムスタンプによってセットされ、局部クロック発生手段からの局部クロックの計数を行う第２の通信制御タイマと、第２の送受信手段で受信した予告タイム信号の示す時間から往復伝搬時間の半値（ＲＴＴ／２）に相当する時間を減算して修正予告タイムを計算し、第２の通信制御タイマが示す時刻が修正予告タイムに一致するか否かを判定する判定手段と、判定手段により第２の通信制御タイマが示す時刻が修正予告タイムに一致したと判定された場合に、この判定結果に応じて第２の時刻基準パルスを発生する時刻基準パルス発生手段とを備えている。
【００１２】
本発明によれば、このような簡単な構成で、局側光終端装置に入力した時刻基準パルスに同期した時刻基準パルスを各加入者光終端装置から発生させることができ、正確な時刻同期を実現できる。
【００１３】
局側光終端装置の計測手段が、第１の通信制御用タイマの示す時刻情報を含む時刻同期コマンドを第１の送受信手段により複数の加入者光終端装置の各々に送信させる手段を備えており、複数の加入者光終端装置の各々が、受信した時刻同期コマンドに応じて、時刻同期コマンドが含む時刻情報の時刻に第２の通信制御用タイマをセットする手段を備えていることが好ましい。
【００１４】
局側光終端装置が、第１の時刻基準パルスに同期した基準クロックから第１の通信制御用タイマのカウント用クロックを生成するクロック生成手段をさらに備えていることも好ましい。この場合、基準クロックが外部から局側光終端装置に入力されるか、局側光終端装置が、第１の時刻基準パルスに同期させて基準クロックを生成する発振手段をさらに備えていることがより好ましい。
【００１５】
本発明によれば、さらに、光伝送システムは、局側光終端装置と、光伝送路を介して局側光終端装置に接続された複数の加入者光終端装置とを含んでいる。局側光終端装置は、複数の加入者光終端装置との間で信号を送受信する第１の送受信手段と、第１の通信制御用タイマと、局側光終端装置と複数の加入者光終端装置の各々との間の往復伝搬時間（ＲＴＴ）を計測する計測手段と、第１の時刻基準パルスの入力に応じて、第１の通信制御用タイマの時刻を示す予告タイム信号を生成する手段と、第１の送受信手段に、生成した予告タイム信号を複数の加入者光終端装置の各々に向けて送信させ、かつ計測した往復伝搬時間の半値（ＲＴＴ／２）を示す信号を複数の加入者光終端装置の対応する加入者光終端装置に送信させると共に、ほぼ全ての制御メッセージにタイムスタンプを含ませて複数の加入者光終端装置の各々に向けて送信させる手段とを備えている。複数の加入者光終端装置の各々は、局側光終端装置との間で信号を送受信すると共に予告タイム信号及び局側光終端装置からの往復伝搬時間の半値（ＲＴＴ／２）を示す信号を受信する第２の送受信手段と、局部クロックを発生する局部クロック発生手段と、ほぼ全ての制御メッセージに含まれているタイムスタンプによってセットされ、局部クロック発生手段からの局部クロックの計数を行う第２の通信制御タイマと、第２の送受信手段で受信した予告タイム信号の示す時間に所定時間を加算し、往復伝搬時間の半値（ＲＴＴ／２）に相当する時間を減算して修正予告タイムを計算し、第２の通信制御タイマが示す時刻が修正予告タイムに一致するか否かを判定する判定手段と、判定手段により第２の通信制御タイマが示す時刻が修正予告タイムに一致したと判定された場合に、判定結果に応じて第２の時刻基準パルスを発生する時刻基準パルス発生手段とを備えている。
【００１６】
本発明によれば、このような簡単な構成で、局側光終端装置に入力した時刻基準パルスに同期した時刻基準パルスを各加入者光終端装置から発生させることができ、正確な時刻同期を実現できる。
【００１７】
局側光終端装置の計測手段が、第１の通信制御用タイマの示す時刻情報を含む時刻同期コマンドを第１の送受信手段により複数の加入者光終端装置の各々に送信させる手段を備えており、複数の加入者光終端装置の各々が、受信した時刻同期コマンドに応じて、時刻同期コマンドが含む時刻情報の時刻に第２の通信制御用タイマをセットする手段を備えていることが好ましい。
【００１８】
局側光終端装置が、第１の時刻基準パルスに同期した基準クロックから第１の通信制御用タイマのカウント用クロックを生成するクロック生成手段をさらに備えていることも好ましい。この場合、基準クロックが外部から局側光終端装置に入力されるか、局側光終端装置が、第１の時刻基準パルスに同期させて基準クロックを生成する発振手段をさらに備えていることがより好ましい。
【００１９】
本発明によれば、またさらに、光伝送路を介して局側光終端装置と複数の加入者光終端装置とが接続されている光伝送システムの時刻基準パルス同期方法は、局側光終端装置が、複数の加入者光終端装置の各々との間の往復伝搬時間（ＲＴＴ）を計測するステップと、局側光終端装置が、計測した往復伝搬時間の半値（ＲＴＴ／２）を示す信号を複数の加入者光終端装置の対応する加入者光終端装置に送信するステップと、複数の加入者光終端装置の各々が、局側光終端装置から送信された往復伝搬時間の半値（ＲＴＴ／２）を示す信号を受信し記憶するステップと、局側光終端装置が、第１の時刻基準パルスの入力に応じて、第１の通信制御用タイマの示す時刻信号に所定時間を加算して得られる予告タイム信号を複数の加入者光終端装置の各々に送信するステップと、局側光終端装置が、ほぼ全ての制御メッセージにタイムスタンプを含ませて複数の加入者光終端装置の各々に向けて送信するステップと、複数の加入者光終端装置の各々が、予告タイム信号を受信するステップと、複数の加入者光終端装置の各々が、受信した予告タイム信号の示す時間から往復伝搬時間の半値（ＲＴＴ／２）に相当する時間を減算して、修正予告タイムを計算するステップと、複数の加入者光終端装置の各々が、ほぼ全ての制御メッセージに含まれているタイムスタンプによってセットされ、局部クロックの計数を行う第２の通信制御タイマの示す時刻が、修正予告タイムに一致した時に第２の時刻基準パルスを発生するステップとを備えている。
【００２０】
本発明によれば、さらに、光伝送路を介して局側光終端装置と複数の加入者光終端装置とが接続されている光伝送システムの時刻基準パルス同期方法は、局側光終端装置が、複数の加入者光終端装置の各々との間の往復伝搬時間（ＲＴＴ）を計測するステップと、局側光終端装置が、計測した往復伝搬時間の半値（ＲＴＴ／２）を示す信号を複数の加入者光終端装置の対応する加入者光終端装置に送信するステップと、複数の加入者光終端装置の各々が、局側光終端装置から送信された往復伝搬時間の半値（ＲＴＴ／２）を示す信号を受信し記憶するステップと、局側光終端装置が、第１の時刻基準パルスの入力に応じて、第１の通信制御用タイマの時刻を示す予告タイム信号を複数の加入者光終端装置の各々に送信するステップと、局側光終端装置が、ほぼ全ての制御メッセージにタイムスタンプを含ませて複数の加入者光終端装置の各々に向けて送信するステップと、複数の加入者光終端装置の各々が、予告タイム信号を受信するステップと、複数の加入者光終端装置の各々が、受信した該予告タイム信号の示す時間に所定時間を加算し往復伝搬時間の半値（ＲＴＴ／２）に相当する時間を減算して修正予告タイムを計算するステップと、複数の加入者光終端装置の各々が、ほぼ全ての制御メッセージに含まれているタイムスタンプによってセットされ、局部クロックの計数を行う第２の通信制御タイマの示す時刻が、修正予告タイムに一致した時に第２の時刻基準パルスを発生するステップとを備えている。
【００２１】
本発明の他の目的及び効果は、添付図面で説明される本発明の好ましい実施態様に関する以下の記載から明らかとなるであろう。
【発明の効果】
【００２２】
本発明によれば、このような簡単な構成で、局側光終端装置に入力した時刻基準パルスに同期した時刻基準パルスを各加入者光終端装置から発生させることができ、正確な時刻同期を実現できる。
【図面の簡単な説明】
【００２３】
【図１】本発明の光伝送システムの一他の実施形態としてＰＯＮシステムの構成を概略的に示すブロック図である。
【図２】図１の実施形態における往復伝搬時間の計測方法を説明する図である。
【図３】制御メッセージのフォーマットを概略的に説明する図である。
【図４】先行する技術と図１の実施形態との動作の相違点を説明する図である。
【図５】図１の実施形態における動作を説明するフローチャートである。
【図６】図１の実施形態の一変更態様におけるＰＯＮシステムの構成を概略的に示すブロック図である。
【図７】本発明の光伝送システムの他の実施形態としてＰＯＮシステムの構成を概略的に示すブロック図である。
【図８】図７の実施形態の一変更態様におけるＰＯＮシステムの構成を概略的に示すブロック図である。
【発明を実施するための形態】
【００２４】
図１は本発明の光伝送システムの一実施形態としてＰＯＮシステムの構成を概略的に示している。
【００２５】
同図に示すように、このＰＯＮシステムは、基本的には、ＯＬＴ１０と、複数のユーザにそれぞれ配置される複数のＯＮＵ１１１〜１１ｎ（ｎは２以上の整数）と、ＯＬＴ１０とこれらＯＮＵ１１１〜１１ｎとを接続する光伝送路１２とを備えている。
【００２６】
光伝送路１２は、信号光を合分波する図示しない光カプラをその中間点に備えており、一般に、受動デバイスから構成される。この光伝送路１２としては、下り及び上りの通信を波長分割多重して１本の光ファイバで伝送する方法が通常は用いられるが、ここでは説明を簡易にするため、光伝送路１２を下り及び上りの２本の通信線で表わしている。
【００２７】
ＯＬＴ１０は、ＰＯＮシステムで必要とするクロックを生成するクロック生成回路１０ａと、現在時刻を計時する通信制御用タイマ１０ｂと、送信回路１０ｃと、受信回路１０ｄと、送信回路１０ｃに下り信号を送り、受信回路１０ｄから上り信号を受取る転送処理回路１０ｅと、ＯＮＵ１１１〜１１ｎの各々までの計測した往復伝搬時間（ＲＴＴ）を記憶するメモリ１０ｆと、タイムスタンプを抽出するタイムスタンプ抽出回路１０ｇと、タイムスタンプに１周期に対応する時間を加算する加算器１０ｈとを備えている。
【００２８】
ＯＮＵ１１１〜１１ｎの各々、例えばＯＮＵ１１１は、受信回路１１ａ１と、送信回路１１ｂ１と、受信回路１１ａ１から下り信号を受取り、送信回路１１ｂ１へ上り信号を送る転送処理回路１１ｃ１と、ＲＴＴの半値を記憶するメモリ１１ｄ１と、修正予告タイムを決定し、時刻基準パルスを同期発生させる判定回路１１ｅ１と、基準クロックを再生するクロック再生回路１１ｆ１と、タイムスタンプと同期して時刻を計時する通信制御用タイマ１１ｇ１と、時刻基準パルスを発生させる時刻基準パルス発生回路１１ｈ１と、ローカル発振器１１ｊ１とを備えている。
【００２９】
本実施形態のＰＯＮシステムでは、ＭＰＣＰ（Ｍｕｌｔｉ−Ｐｏｉｎｔ  Ｃｏｎｔｒｏｌ  Ｐｒｏｔｏｃｏｌ）と呼ばれる通信プロトコルが使用されており、上り方向の通信はＴＤＭＡ方式で行われる。即ち、ＯＮＵ１１１〜１１ｎの各々は、ＯＬＴ１０により許可されたタイミング及び期間においてのみ、上り信号光をＯＬＴ１０に向け光伝送路１２へ出力することができるように構成されている。
【００３０】
ＯＮＵ１１１〜１１ｎの各々とＯＬＴ１０との間の距離は、ＯＮＵ１１１〜１１ｎ毎に異なるので、ＯＬＴ１０は、ＯＮＵ１１１〜１１ｎの各々に正確な送出タイミングを指示するためには、ＯＮＵ１１１〜１１ｎの各々の通信制御用タイマをＯＬＴ１０の通信制御用タイマ１０ｂと同期させ、かつ、ＯＮＵ１１１〜１１ｎの各々からＯＬＴ１０までの往復の伝搬時間ＲＴＴを計測してあらかじめ知っておく必要がある。そのため、ＯＬＴ１０は、ＲＴＴ計測用の時刻同期コマンドを含むコマンドをＯＮＵ１１１〜１１ｎの各々に送信し、一定形式の信号を返信させる。これにより、ＯＬＴ１０はＯＮＵ１１１〜１１ｎの各々との間のＲＴＴを計測することができる。
【００３１】
次に、ＰＯＮシステムにおけるＲＴＴ計測方法を説明する。前述したように、ＯＬＴ１０は通信制御用タイマ１０ｂを備えており、ＯＮＵ１１１〜１１ｎの各々はこの通信制御用タイマ１０ｂ同期して動作する通信制御用タイマ（ＯＮＵ１１１の場合は通信制御用タイマ１１ｇ１）を備えている。以下、図２を参照して、ＯＬＴ１０とＯＮＵ１１１との間のＲＴＴについて説明する。ＰＯＮシステムにおいて、ＯＮＵ１１１の通信制御用タイマ１１ｇ１は、ＯＬＴ１０の通信制御用タイマ１０ｂから、光伝送路１２の伝搬時間Ｔｄに対応する時間だけ遅れた時刻を表わすこととなる。
【００３２】
図２において、ＯＬＴ１０が、通信制御用タイマ１０ｂと通信制御用タイマ１１ｇ１との時刻同期及びＲＴＴ計測のために、時刻同期コマンドを時刻ｔ０にＯＮＵ１１１へ送信したとする。その時刻同期コマンドはタイムスタンプとして時刻ｔ０の情報を含んでいる。ＯＮＵ１１１は、この時刻同期コマンドを受信すると、その中に含まれる時刻ｔ０に通信制御用タイマ１１ｇ１をセットする。
【００３３】
ＯＬＴ１０に初めてＯＮＵ１１１が登録される場合、ＯＬＴ１０はこのＯＮＵ１１１のＲＴＴを把握していないため、他のＯＮＵとの衝突を防ぐために正確な送信タイミングを指示することができない。このため、ＯＮＵ１１１は、他のＯＮＵ１１２〜１１ｎとの間の上り信号の衝突可能性を最小とするためのランダムな期間（Ｔｗａｉｔ）の間待機し、時刻ｔ１に応答信号をＯＬＴ１０へ返信する。この応答信号には、ＯＮＵ１１１における発信時刻ｔ１をタイムスタンプとして含まれている。ＯＬＴ１０がこの応答信号を時刻ｔ２に受信したとする。ＯＬＴ１０は、応答信号に含まれるタイムスタンプｔ１を参照し、受信時刻ｔ２との差（ｔ２−ｔ１）を算出する。この差（ｔ２−ｔ１）が光伝送路１２の往復伝搬時間（ＲＴＴ）を示している。これは、図２に示すように、ＲＴＴ＝Ｔｄｓ＋Ｔｕｓ＋Ｔｗａｉｔ−Ｔｗａｉｔ＝（ｔ２−ｔ０）−（ｔ１−ｔ０）＝ｔ２−ｔ１から求められる。ただし、Ｔｗａｉｔは上述の待機時間、Ｔｄｓは下り伝搬時間、Ｔｕｓは上り伝搬時間である。もちろん、このＲＴＴは、ＯＬＴ１０及びＯＮＵ１１１内での信号転送処理時間を含んでいる。
【００３４】
図１に示すように、ＯＬＴ１０には、外部から、互いに同期関係にある基準クロックと時刻基準パルスとが入力するように構成されている。基準クロックは、例えば、ＧＰＳ（Ｇｌｏｂａｌ  Ｐｏｓｉｔｉｏｎｉｎｇ  Ｓｙｓｔｅｍ）レシーバから出力されるような１０ＭＨｚのクロックであり、時刻基準パルスは、ＵＴＣ（協定世界時）を示す１ＰＰＳ（Ｐｕｌｓｅ  Ｐｅｒ  Ｓｅｃｏｎｄ）のパルスである。
【００３５】
クロック生成回路１０ａは、上述したようにＧＰＳレシーバ等の外部から入力する例えば周波数１０ＭＨｚの基準クロックに応答して、ＰＯＮシステムで必要となる６２．５ＭＨｚのクロックと１．２５ＧＨｚのクロックとを生成する。もちろん、これらの周波数はＰＯＮシステムの設計によって異なる。通信制御用タイマ１０ｂは、このクロック生成回路１０ａからの６２．５ＭＨｚのクロックをカウントすることによって現在時刻を計時し、所定フォーマットで現在時刻を示す信号である時刻信号を出力する。
【００３６】
送信回路１０ｃは、クロック生成回路１０ａからの１．２５ＧＨｚのクロックに同期して、転送処理回路１０ｅからの下り信号を下り光信号に変換して光伝送路１２へ出力する。受信回路１０ｄは、光伝送路１２からの上り光信号を受信し、受信信号を転送処理回路１０ｅへ供給する。
【００３７】
転送処理回路１０ｅは、通信制御用タイマ１０ｂから出力される時刻信号を参照しつつ、ＯＮＵ１１１〜１１ｎの各々との間でデータを送受信するように制御する。さらに、この転送処理回路１０ｅは、光伝送路１２に接続されているＯＮＵ１１１〜１１ｎを探知してこれらＯＮＵ１１１〜１１ｎの各々に論理リンクを設定する手順において、送信回路１０ｃ及び受信回路１０ｄを使って、ＯＮＵ１１１〜１１ｎの各々までのＲＴＴをあらかじめ計測しておき、計測したＯＮＵ１１１〜１１ｎのＲＴＴをメモリ１０ｆに記憶させる。ＯＮＵ１１１〜１１ｎの各々の計測されたＲＴＴの半値であるＲＴＴ／２は、対応するＯＮＵ１１１〜１１ｎの各々に送信されて各メモリに記憶され、時刻同期の際に参照される。
【００３８】
タイムスタンプ抽出回路１０ｇは、外部からの時刻基準パルスのエッジでトリガされて通信制御用タイマ１０ｂから出力される時刻信号を取り込んでタイムスタンプを抽出する。一般に、伝送システムにおいては、遅延なしで信号伝送することは不可能であるため、ここでは、次の正秒（ｔ＋１）、即ち１秒後に相当する時刻を全てのＯＮＵ１１１〜１１ｎへ送信する。そのために、本実施形態においては、加算器１０ｈが、タイムスタンプ抽出回路１０ｇで抽出されたタイムスタンプに、時刻基準パルス信号の１周期に相当する時間を加算している。
【００３９】
例えばＥｔｈｅｒｎｅｔ（登録商標）ＰＯＮ（Ｅ−ＰＯＮ）システムの場合、光伝送レートは１．２５Ｇｂｉｔ／ｓであり、ＯＬＴ１０の通信制御用タイマ１０ｂ及びＯＮＵ１１１〜１１ｎの各々の通信制御用タイマは、１／１.２５ＧＨｚ（１ビット時間）×２０ビット（６２．５ＭＨｚに相当）でカウント動作しているので、１６ナノ秒がタイマ単位となる。このとき、１秒間が６２，５００，０００カウントとなるので、加算器１０ｈは、タイムスタンプ抽出回路１０ｇの出力に６２，５００，０００カウントを加算する。加算器１０ｈの加算結果は、予告タイムとして転送処理回路１０ｅに供給される。
【００４０】
転送処理回路１０ｅ及び送信回路１０ｃは、加算器１０ｈから与えられる予告タイムを、ブロードキャストでＯＮＵ１１１〜１１ｎに送信する。予告タイムを必要としないＯＮＵは、この予告タイム信号を無視する。もちろん、予告タイムを必要とするＯＮＵを指定して予告タイム信号をマルチキャストしても、予告タイム信号をコピーしてユニキャストしてもよい。また、ＯＮＵ１１１〜１１ｎの各々への予告タイムの転送の信頼性を高めるため、複数コピーして時間的に間隔をおいて送信してもよい。ＯＮＵ１１１〜１１ｎの各々は、そのうちの１つを受信すればよい。予告タイムを含む信号フレームが受信エラーなどの何らかの要因で欠落しても、予告タイムが確実に転送されることが必要である。
【００４１】
次にＯＮＵ１１１〜１１ｎの各々を代表して、ＯＮＵ１１１の基本動作を説明する。
【００４２】
受信回路１１ａ１は光伝送路１２からの下り光信号を受信して電気信号に変換し、この電気信号を転送処理回路１１ｃ１とクロック再生回路１１ｆ１とに供給する。転送処理回路１１ｃ１は、受信回路１１ａ１の受信信号に含まれる下りデータをこのＯＮＵ１１１の後段に接続されている図示しないコンピュータ等へ転送する。転送処理回路１１ｃ１は、また、このコンピュータ等からの上りデータを送信回路１１ｂ１へ供給する。
【００４３】
送信回路１１ｂ１は、転送処理回路１１ｃ１から与えられる上り信号を上り光信号に変換して光伝送路１２に出力する。この上り光信号は、光伝送路１２を伝搬し、ＯＬＴ１０の受信回路１０ｄで受信され、電気信号に戻される。
【００４４】
ＯＮＵ１１１の転送処理回路１１ｃ１は、受信回路１１ａ１の受信信号が自己宛の制御である場合には、その制御信号が示す内容で動作する。例えば、受信回路１１ａ１の受信信号がＲＴＴ半値を示す場合、この転送処理回路１１ｃ１は、受信したＲＴＴ半値をメモリ１１ｄ１に記憶させる。受信回路１１ａ１の受信信号が予告タイムを示す信号である場合、転送処理回路１１ｃ１は、受信した予告タイムを判定回路１１ｅ１に通知する。この判定回路１１ｅ１の動作については後述する。
【００４５】
本実施形態においては、ＯＬＴ１０から送られてくるほとんど全ての制御メッセージのフレームには、ＯＬＴ１０の転送処理回路１０ｅにおいて付加された送信時のタイムスタンプが含まれており、ＯＮＵ１１１〜１１ｎの各々では、このタイムスタンプによって各々の通信制御用タイマがセットされる。これにより、各通信制御用タイマはＯＬＴ１０の通信制御用タイマ１０ｂと同期することができる。
【００４６】
図３に示すように、制御メッセージのフォーマットは、一般に、デスティネーション（ＤＡ）フィールド、ソースアドレス（ＳＡ）フィールド、レングス／タイプフィールド、オプコードフィールド、タイムスタンプフィールド、オプコード−スペシフィックフィールド、フレームチェックシーケンス（ＦＣＳ）フィールドを備えている。このようなほぼ全ての制御フレームのタイムスタンプフィールドにタイムスタンプ値がＯＬＴ１０の転送処理回路１０ｅにおいて付加される。制御メッセージとしては、ＧＡＴＥメッセージ、ＲＥＰＯＲＴメッセージ、ＲＥＧＩＳＴＥＲ＿ＲＥＱメッセージ、ＲＥＧＩＳＴＥＲメッセージ及びＲＥＧＩＳＴＥＲ＿ＡＣＫメッセージ等が存在しており、これらがＯＬＴ及びＯＮＵ間で頻繁にやりとりされている。これら制御メッセージのうち、ＯＬＴ１０からＯＮＵ１１１〜１１ｎの各々に送られるほぼ全ての制御メッセージにタイムスタンプが付加される。
【００４７】
図４（Ａ）及び（Ｂ）は先行技術と図１の実施形態との動作の相違点を説明する図である。
【００４８】
先行技術においては、ＯＮＵのクロック再生回路は受信信号から６２．５ＭＨｚのＰＯＮシステムクロックを生成している。このため、同図（Ａ）に示すように、ＯＬＴの周波数とＯＮＵの周波数とは一致し、周波数差はゼロである。このため、通信制御用タイマがタイムスタンプによって一度タイマセットされれば、ＯＬＴとＯＮＵとのタイマ差は一定量のオフセット（＝下り伝搬時間Ｔｄｓ）が維持される。
【００４９】
一方、同図（Ｂ）に示すように、本実施形態においては、ＯＬＴ１０の周波数とＯＮＵ１１１の周波数とは一致していない。このため、ＯＬＴ１０とＯＮＵ１１１とのタイマ差は、何もしなければ同図の４０に示すように大きく変化してしまう。しかしながら、同図の４１に示すように、ＯＬＴ１０から送られてくるほぼ全ての制御メッセージのフレームに含まれるタイムスタンプでＯＮＵ１１１の通信制御用タイマ１１ｇ１を常にセットすれば、ＯＬＴ１０とＯＮＵ１１１とのタイマ差は、その中心値が一定量のオフセット（＝下り伝搬時間Ｔｄｓ）に近い小さな値に抑えられる。
【００５０】
従って、ＯＮＵ１１１において、非同期のローカル発振器１１ｊ１からの６２．５ＭＨｚのクロックが通信制御用タイマ１１ｇ１に供給されている場合にも、このクロックはＯＬＴ１０における通信制御用タイマ１０ｂの出力と同期することとなる。即ち、通信制御用タイマ１１ｇ１は、このようにして同期した６２．５ＭＨｚのＰＯＮシステムクロックを計数して、時刻を計時する。ＯＮＵ１１１におけるクロック再生回路１１ｆ１は、時刻基準パルス発生回路１１ｈ１から与えられる時刻基準パルスから１０ＭＨｚの基準クロックを再生する。１０ＭＨｚの基準クロックはこのＯＮＵ１１１に接続された後段回路に供給される。
【００５１】
通信制御用タイマ１１ｇ１の計時時刻を示す信号は、転送処理回路１１ｃ１及び判定回路１１ｅ１に供給される。転送処理回路１１ｃ１は、通信制御用タイマ１１ｇ１を参照し、ＯＬＴ１０により許可されたタイミングと期間で上り信号を光伝送路１２に出力するように送信回路１１ｂ１を駆動する、即ち、送信回路１１ｂ１に上り信号を供給する。
【００５２】
判定回路１１ｅ１は、予告タイム信号を転送処理回路１１ｃ１から受けると、メモリ１１ｄ１からＲＴＴ半値を読み出し、その予告タイムからＲＴＴ半値を減算して、修正予告タイムとする。即ち、
修正予告タイム＝予告タイム−ＲＴＴ／２
とする。
【００５３】
次いで、判定回路１１ｅ１は、通信制御用タイマ１１ｇ１の出力時刻が修正予告タイムに一致すると、時刻基準パルス発生回路１１ｈ１を起動して時刻基準パルスを発生させる。これにより、ＯＮＵ１１１〜１１ｎの各々は、ＯＬＴ１０からの伝搬時間Ｔｄだけ遅れてはいるが、ＯＬＴ１０に入力する時刻基準パルスに同期した時刻基準パルスを生成することができる。光伝送路１２における遅延時間を加味した時間をＯＬＴ１０の加算器１０ｈにおいて加算しているので、時刻基準パルス発生回路１１ｈ１は、判定回路１１ｅ１からの起動信号に応答し、ＯＬＴ１０に入力する時刻基準パルスに同期した時刻基準パルスを生成することができる。ＯＬＴ１０及びＯＮＵ１１１内での処理による遅延時間を無視できない場合、判定回路１１ｅ１は、この処理による遅延時間に基づく誤差を加味して修正予告タイムを決定する。
【００５４】
図５は、本実施形態において、ＯＮＵ１１１がＯＬＴ１０に入力した時刻基準パルスと同期する時刻基準パルスを発生する動作を示しており、同図（Ａ）はＯＬＴ１０の動作を、同図（Ｂ）はＯＮＵ１１１の動作をそれぞれ示している。
【００５５】
ＯＬＴ１０は、通信制御用タイマ１０ｂ及び１１ｇ１の時刻同期とＲＴＴ計測のために、時刻同期コマンドを生成し、ＯＮＵ１１１を含むＯＮＵ１１１〜１１ｎの各々に送信する（ステップＳ１）。
【００５６】
ＯＮＵ１１１は、時刻同期コマンドを受信すると、時刻同期コマンドに含まれる時刻に通信制御用タイマ１１ｇ１をセットする（ステップＳ１１）。そして、ＯＮＵ１１１〜１１ｎ間の衝突を最小とするためのランダムな期間Ｔｗａｉｔだけ待機し、応答信号をＯＬＴ１０に返信する。これにより、ＯＬＴ１０は、先に説明したように、ＯＮＵ１１１を含むＯＮＵ１１１〜１１ｎの各々までのＲＴＴを計測することができる。計測したＯＮＵ１１１〜１１ｎのＲＴＴは、上り通信制御用としてメモリ１０ｆに記憶され、ＯＮＵ１１１を含むＯＮＵ１１１〜１１ｎの各々にＲＴＴの半値（ＲＴＴ／２）が通知される（ステップＳ２）。
【００５７】
ＯＮＵ１１１は、ＯＬＴ１０から通知されたＲＴＴの半値（ＲＴＴ／２）をメモリ１１ｄ１に記憶する（ステップＳ１２）。
【００５８】
ＯＬＴ１０は、時刻基準パルスが入力したかどうか判別しつつ待機する（ステップＳ３）。時刻基準パルスが入力すると、タイムスタンプ抽出回路１０ｇ及び加算器１０ｈによって予告タイムを生成し、ＯＮＵ１１１を含むＯＮＵ１１１〜１１ｎの各々に送信する（ステップＳ４）。
【００５９】
ＯＮＵ１１１は、予告タイムの受信したかどうか判別しつつ待機しており（ステップＳ１３）、予告タイムを受信すると、判定回路１１ｅ１が、上述したように、予告タイムからＲＴＴの半値（ＲＴＴ／２）を減算して、修正予告タイムを算出する（ステップＳ１４）。
【００６０】
ＯＮＵ１１１において、通信制御タイマ１１ｇ１の示す時刻が修正予告タイムに一致すると（ステップＳ１５）、判定回路１１ｅ１は、時刻基準パルス発生回路１１ｈ１に時刻基準パルスを発生させる（ステップＳ１６）。
【００６１】
このように、ＯＬＴ１０は、ステップＳ３〜Ｓ４をループし、ＯＮＵ１１１を含むＯＮＵ１１１〜１１ｎの各々は、ステップＳ１３〜Ｓ１６をループする。
【００６２】
図６は図１の実施形態の一変更態様におけるＰＯＮシステムの構成を概略的に示している。この変更態様において、図１の実施形態と同じ作用を行う構成要素には、同じ参照符号が付されている。
【００６３】
このＰＯＮシステムは、基本的には、ＯＬＴ６０と、複数のユーザにそれぞれ配置される複数のＯＮＵ１１１〜１１ｎ（ｎは２以上の整数）と、ＯＬＴ６０とこれらＯＮＵ１１１〜１１ｎとを接続する光伝送路１２とを備えている。
【００６４】
ＯＬＴ６０は、ＰＯＮシステムで必要とするクロックを生成するクロック生成回路１０ａと、現在時刻を計時する通信制御用タイマ１０ｂと、送信回路１０ｃと、受信回路１０ｄと、送信回路１０ｃに下り信号を送り、受信回路１０ｄから上り信号を受取る転送処理回路１０ｅと、ＯＮＵ１１１〜１１ｎの各々までの計測したＲＴＴを記憶するメモリ１０ｆと、タイムスタンプを抽出するタイムスタンプ抽出回路１０ｇと、タイムスタンプに１周期に対応する時間を加算する加算器１０ｈと、シンセサイザ又は発振器６０ｉとを備えている。
【００６５】
ＯＮＵ１１１〜１１ｎの各々、例えばＯＮＵ１１１は、受信回路１１ａ１と、送信回路１１ｂ１と、受信回路１１ａ１から下り信号を受取り、送信回路１１ｂ１へ上り信号を送る転送処理回路１１ｃ１と、ＲＴＴの半値を記憶するメモリ１１ｄ１と、修正予告タイムを決定し、時刻基準パルスを同期発生させる判定回路１１ｅ１と、基準クロックを再生するクロック再生回路１１ｆ１と、タイムスタンプと同期して時刻を計時する通信制御用タイマ１１ｇ１と、時刻基準パルスを発生させる時刻基準パルス発生回路１１ｈ１と、ローカル発振器１１ｊ１とを備えている。
【００６６】
この変更態様では、ＯＬＴ６０が時刻基準パルスに従って１０ＭＨｚの基準クロックを発生するシンセサイザ又は発振器６０ｉを内蔵しているので、外部から基準クロックを入力する必要が無い。
【００６７】
図７は本発明の光伝送システムの他の実施形態としてＰＯＮシステムの構成を概略的に示している。この実施形態において、図１の実施形態と同じ作用を行う構成要素には、同じ参照符号が付されている。
【００６８】
このＰＯＮシステムは、基本的には、ＯＬＴ７０と、複数のユーザにそれぞれ配置される複数のＯＮＵ７１１〜７１ｎ（ｎは２以上の整数）と、ＯＬＴ７０とこれらＯＮＵ７１１〜７１ｎとを接続する光伝送路１２とを備えている。
【００６９】
ＯＬＴ７０は、ＰＯＮシステムで必要とするクロックを生成するクロック生成回路１０ａと、現在時刻を計時する通信制御用タイマ１０ｂと、送信回路１０ｃと、受信回路１０ｄと、送信回路１０ｃに下り信号を送り、受信回路１０ｄから上り信号を受取る転送処理回路１０ｅと、ＯＮＵ７１１〜７１ｎの各々までの計測したＲＴＴを記憶するメモリ１０ｆと、タイムスタンプを抽出するタイムスタンプ抽出回路１０ｇとを備えている。
【００７０】
ＯＮＵ７１１〜７１ｎの各々、例えばＯＮＵ７１１は、受信回路１１ａ１と、送信回路１１ｂ１と、受信回路１１ａ１から下り信号を受取り、送信回路１１ｂ１へ上り信号を送る転送処理回路１１ｃ１と、ＲＴＴの半値を記憶するメモリ１１ｄ１と、修正予告タイムを決定し、時刻基準パルスを同期発生させる判定回路７１ｅ１と、加減算器７１ｉ１と、基準クロックを再生するクロック再生回路１１ｆ１と、タイムスタンプと同期して時刻を計時する通信制御用タイマ１１ｇ１と、時刻基準パルスを発生させる時刻基準パルス発生回路１１ｈ１と、ローカル発振器１１ｊ１とを備えている。
【００７１】
図１の実施形態においては、ＯＬＴ１０は、ＯＬＴ１０に時刻基準パルスが入力した時刻に所定時間（１秒相当）を加算した結果をＯＮＵ１１１〜１１ｎの各々に送信しているが、図７の実施形態においては、ＯＬＴ７０は、ＯＬＴ７０に時刻基準パルスが入力した時刻を予告タイマ信号としてＯＮＵ７１１〜７１ｎの各々に送信する。
【００７２】
ＯＮＵ７１１〜７１ｎの各々、例えばＯＮＵ７１１では、加減算器７１ｉ１が、受信した予告タイマ信号に所定時間を加算し、伝搬遅延時間を減算して修正予告タイムを算出する。判定回路７１ｅ１は、加減算器７１ｉ１からの修正予告タイムに通信制御タイマ１１ｇ１の示す時刻が一致すると、時刻基準パルス発生回路１１ｈ１に時刻基準パルスを発生させる。
【００７３】
図８は図７の実施形態の一変更態様におけるＰＯＮシステムの構成を概略的に示している。この変更態様において、図１及び図７の実施形態と同じ作用を行う構成要素には、同じ参照符号が付されている。
【００７４】
このＰＯＮシステムは、基本的には、ＯＬＴ８０と、複数のユーザにそれぞれ配置される複数のＯＮＵ７１１〜７１ｎ（ｎは２以上の整数）と、ＯＬＴ８０とこれらＯＮＵ７１１〜７１ｎとを接続する光伝送路１２とを備えている。
【００７５】
ＯＬＴ８０は、ＰＯＮシステムで必要とするクロックを生成するクロック生成回路１０ａと、現在時刻を計時する通信制御用タイマ１０ｂと、送信回路１０ｃと、受信回路１０ｄと、送信回路１０ｃに下り信号を送り、受信回路１０ｄから上り信号を受取る転送処理回路１０ｅと、ＯＮＵ７１１〜７１ｎの各々までの計測したＲＴＴを記憶するメモリ１０ｆと、タイムスタンプを抽出するタイムスタンプ抽出回路１０ｇと、シンセサイザ又は発振器８０ｉとを備えている。
【００７６】
ＯＮＵ７１１〜７１ｎの各々、例えばＯＮＵ７１１は、受信回路１１ａ１と、送信回路１１ｂ１と、受信回路１１ａ１から下り信号を受取り、送信回路１１ｂ１へ上り信号を送る転送処理回路１１ｃ１と、ＲＴＴの半値を記憶するメモリ１１ｄ１と、修正予告タイムを決定し、時刻基準パルスを同期発生させる判定回路７１ｅ１と、加減算器７１ｉ１と、基準クロックを再生するクロック再生回路１１ｆ１と、タイムスタンプと同期して時刻を計時する通信制御用タイマ１１ｇ１と、時刻基準パルスを発生させる時刻基準パルス発生回路１１ｈ１と、ローカル発振器１１ｊ１とを備えている。
【００７７】
この変更態様では、ＯＬＴ８０が時刻基準パルスに従って１０ＭＨｚの基準クロックを発生するシンセサイザ又は発振器８０ｉを内蔵しているので、外部から基準クロックを入力する必要が無い。
【００７８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００７９】
１０、６０、７０、８０  ＯＬＴ
１０ａ  クロック生成回路
１０ｂ、１１ｇ１  通信制御用タイマ
１０ｃ、１１ｂ１  送信回路
１０ｄ、１１ａ１  受信回路
１０ｅ、１１ｃ１  転送処理回路
１０ｆ、１１ｄ１  メモリ
１０ｇ  タイムスタンプ抽出回路
１０ｈ  加算器
１１１〜１１ｎ、７１１〜７１ｎ  ＯＮＵ
１１ｅ１、７１ｅ１  判定回路
１１ｆ１  クロック再生回路
１１ｈ１  時刻基準パルス発生回路
１１ｊ１  ローカル発振器
１２  光伝送路
６０ｉ  発振器
７１ｉ１  加減算器
【図１】
2011040870.tif 000003
【図２】
2011040870.tif 000004
【図３】
2011040870.tif 000005
【図４】
2011040870.tif 000006
【図５】
2011040870.tif 000007
【図６】
2011040870.tif 000008
【図７】
2011040870.tif 000009
【図８】
2011040870.tif 000010